(57)【特許請求の範囲】
【請求項１】
自動販売機本体の前面を開閉する外扉に設けられた商品取出口と、商品取出口の後方に位置する自動販売機本体に設けられた商品搬出口と、商品搬出口の上端側に回転自在に設けられ、商品搬出口を開閉する搬出扉と、商品搬出口と商品取出口との間に設けられている防盗板とを備えた自動販売機の商品取出口構造において、
前記防盗板を、商品取出口の背面側の上部に上端部が回転自在に支持され、下端側を後方へ回転させることにより搬出扉の前方への回転を規制するように設けるとともに、
前記外扉を開放して防盗板を後方に回転させた状態で防盗板に係合可能に設けられ、防盗板に係合することにより防盗板を商品取出口の背面側の上部に保持する防盗板保持機構を備えた
ことを特徴とする自動販売機の商品取出口構造。
【請求項２】
前記防盗板保持機構を、商品取出口の背面側の上部に移動可能に設けられ、防盗板を後方に回転させた状態で、防盗板の回転を規制する回転規制部材から構成した
ことを特徴とする請求項１記載の自動販売機の商品取出口構造。
【請求項３】
前記防盗板を幅方向に移動可能に設け、
商品取出口の背面側の上部に、防盗板の幅方向端部が係合可能な係合孔を設け、
防盗板保持機構を、防盗板を後方に回転させた状態で幅方向に移動させ、防盗板の幅方向端部を係合孔に係合させることにより、防盗板を商品取出口の背面側の上部に保持するように構成した
ことを特徴とする請求項１記載の自動販売機の商品取出口構造。
【請求項４】
前記防盗板の回転軸を回転軸方向の垂直方向に移動可能に設け、
商品取出口の背面側の上部に、防盗板が係合可能な係合部を設け、
防盗板保持機構を、防盗板を後方に回転させた状態で回転軸方向の垂直方向に移動させ、防盗板を係合部に係合させることにより、防盗板を商品取出口の背面側の上部に保持するように構成した
ことを特徴とする請求項１記載の自動販売機の商品取出口構造。
【発明の詳細な説明】
【技術分野】
【０００１】
本発明は、缶、ビンまたはペットボトル入り飲料等の商品を販売するための自動販売機の商品取出口構造に関するものである。
【背景技術】
【０００２】
従来、この種の自動販売機の商品取出口構造としては、自動販売機本体の前面を開閉する外扉に設けられた商品取出口と、商品取出口の後方に位置する自動販売機本体に設けられた商品搬出口と、商品搬出口の上端側に回転自在に設けられ、商品搬出口を開閉する搬出扉と、商品取出口の背面側の上部に上端部が回転自在に支持され、下端側を後方へ回転させることにより搬出扉の前方への回転を規制する防盗板とを備えたものが知られている（例えば、特許文献１参照）。
【特許文献１】特開２００１−１１８１２６号公報
【発明の開示】
【発明が解決しようとする課題】
【０００３】
従来の商品取出口構造では、商品取出口の背面側に防盗板が設けられており、利用者が搬出された商品を取り出す場合には、利用者の手が防盗板に接触するため、防盗性能は向上するが商品は多少取り出し難くなる。このため、自動販売機が屋内に設置される場合など、商品の盗難の危険性が低い場合には、防盗板を取り外すことによって商品の取り出し易さを優先している。しかし、取り外した防盗板を自動販売機本体内または外扉の裏側に保管する場合には、防盗板の保管スペースの分だけ自動販売機の装置全体が大型化するおそれがある。また、取り外した防盗板を別途商品保管用の倉庫等に保管したりする場合には、防盗板の管理が煩雑となり、防盗板の紛失のおそれもある。
【０００４】
本発明の目的とするところは、防盗板を取り外すことなく、防盗性能よりも商品の取り出し易さを優先することのできる自動販売機の商品取出口構造を提供することにある。
【課題を解決するための手段】
【０００５】
本発明は前記目的を達成するために、自動販売機本体の前面を開閉する外扉に設けられた商品取出口と、商品取出口の後方に位置する自動販売機本体に設けられた商品搬出口と、商品搬出口の上端側に回転自在に設けられ、商品搬出口を開閉する搬出扉と、商品搬出口と商品取出口との間に設けられている防盗板とを備えた自動販売機の商品取出口構造において、前記防盗板を、商品取出口の背面側の上部に上端部が回転自在に支持され、下端側を後方へ回転させることにより搬出扉の前方への回転を規制するように設けるとともに、前記外扉を開放して防盗板を後方に回転させた状態で防盗板に係合可能に設けられ、防盗板に係合することにより防盗板を商品取出口の背面側の上部に保持する防盗板保持機構を備えている。
【０００６】
これにより、防盗板を後方に回転させた状態で防盗板保持機構を防盗板に係合することにより防盗板が商品取出口の背面側の上部に保持されることから、防盗板を取り外すことなく、防盗性能よりも商品の取り出し易さが優先される。
【発明の効果】
【０００７】
本発明によれば、防盗板を取り外すことなく、防盗性能よりも商品の取り出し易さを優先することができるので、自動販売機本体内または外扉の背面側に別途防盗板を保管するスペースを必要とせず、自動販売機の装置全体の小型化を図ることが可能となる。また、取り外した防盗板を別途商品保管用の倉庫等に保管したりする必要が無いため、防盗板の管理が容易となり、防盗板の紛失のおそれも無いという利点がある。
【発明を実施するための最良の形態】
【０００８】
図１乃至図４は本発明の第１実施形態を示すもので、図１は本発明の商品取出口構造を備えた自動販売機の全体斜視図、図２は商品取出口の側面断面図、図３は商品取出口内部を示す斜視図、図４は防盗板を収納した状態を示す商品取出口の側面断面図である。
【０００９】
この商品取出口構造を備えた自動販売機は、前面が開口された自動販売機本体１０と、左右一端側が自動販売機本体１０の前面開口の左右方向一端側に回転自在に支持され、自動販売機本体１０の前面開口を開閉する外扉２０とを備えている。
【００１０】
自動販売機本体１０は、内部を上下に仕切ることにより、販売する商品を収納するための商品収納室が上部側に設けられ、商品収納室内を冷却または加熱する機器を収納するための機械室が下部側に設けられている。商品収納室は、上面側、背面側、底面側及び左右両側面側が断熱材によって囲まれ、前面側が左右方向一端側が自動販売機本体１０に回転自在に支持された断熱性の内扉１１によって開閉されるようになっている。内扉１１の下部には、商品収納室と後述する商品取出口を連通する商品搬出口１２が左右方向に複数設けられ、商品搬出口１２を介して商品収納室内に収納された商品が商品取出口側に搬出されるようになっている。また、各商品搬出口１２の上端側には、商品搬出口１２を開閉するための搬出扉１３が回転自在に支持されている。搬出扉１３は、前方に回転することのみによって商品搬出口１２を開放するように設けられており、商品取出口側に搬出される商品によって押し開けられ、商品を搬出するとき以外は商品搬出口１２を閉鎖した状態となっている。
【００１１】
本発明の商品取出口構造は、外扉２０の下部に設けられた商品取出口２１と、商品取出口２１を開閉するための開閉扉２２と、搬出扉１３の不正な開放を規制するための防盗板２３と、防盗板２３を後方に回転させた状態で、防盗板２３の下端側を商品取出口２１内の上部に保持するための防盗板保持機構３０を有している。
【００１２】
商品取出口２１は、商品搬出口１２の前方に位置する外扉２０の前面を左右方向に延びる矩形状に開口することにより設けられている。商品取出口２１の背面側の下方には、商品搬出口１２を介して商品収納室から搬出された商品を受容するための商品受容部２１ａが設けられている。また、商品取出口２１の背面側の左右両側には、商品受容部２１ａの左右両側から上方に延びるように側板２１ｂが設けられている。更に、商品取出口２１の背面側の上方には、前方に向かって下り傾斜となるように上面板２１ｃが設けられている。
【００１３】
開閉扉２２は、合成樹脂等の透明板を商品取出口２１の開口部よりやや大きく形成することにより設けられ、商品取出口２１の前面側の上部に上端が回転自在に支持されている。開閉扉２２は、下端側を前方に回転させることによって商品取出口２１を開放し、自重によって商品取出口２１を閉鎖するようになっている。
【００１４】
防盗板２３は、左右方向に延びる金属製の板状部材からなり、商品搬出口１２と商品取出口２１の間に設けられている。防盗板２３は、上面板２１ｃの下面側に連結軸２３ａを介して前後に回転自在に端部が連結されている。防盗板２３は、商品取出口２１から挿入された手によって後方に回転するように設けられ、下端側が搬出扉１３の前面に接触することにより、搬出扉１３の前方への回転を規制するようになっている。
【００１５】
防盗板保持機構３０は、上面板２１ｃの下面に設けられ、後方に回転した状態の防盗板２３と係合可能な回転規制部材としてのフック３１と、防盗板２３に設けられ、フック３１を係合させるための係合部３１ａとからなる。フック３１は、上面板２１ｃの左右方向端部に左右方向に移動自在に設けられ、先端が後方に向くように設けられている。係合部３１ａは、防盗板２３の左右方向端部を切り欠くことにより設けられ、防盗板２３を後方に回転させた状態でフック３１を左右方向一方に移動させることにより、フック３１が係合部３１ａに係合するようになっている。
【００１６】
以上のように構成された自動販売機の商品取出口構造において、自動販売機が屋内に設置される場合など、商品の盗難の危険性が低い設置環境では、防盗性能よりも商品の取り出し易さを優先する設定を行う。この設定の場合、作業者は、外扉２０を開放して外扉２０の背面側から防盗板２３を後方に回転させ、上面板２１ｃの下面と防盗板２３の背面が対向する状態で、フック３１を防盗板２３側に移動させてフック３１を防盗板２３の係合部３１ａに係合させて防盗板２３の姿勢を保持し、外扉２０を閉鎖する。
【００１７】
これにより、防盗板２３は、下端側を含む全体が商品取出口２１の背面側の上部に保持されることから、利用者が商品を取り出すために商品取出口２１から手を挿入した場合に、手が防盗板２３に接触しないため、商品の取り出し易さが向上する。
【００１８】
このように、本実施形態の自動販売機の商品取出口構造によれば、外扉２０を開放して防盗板２３を後方に回転させた状態で、防盗板２３の下端側を商品取出口２１の背面側の上部に保持するための防盗板保持機構３０を備えたので、防盗板２３を取り外すことなく防盗性能よりも商品の取り出し易さを優先することができ、自動販売機本体１０内または外扉２０の背面側に別途防盗板２３を保管するスペースを必要とせず、自動販売機の装置全体の小型化を図ることが可能となる。また、取り外した防盗板２３を別途商品保管用の倉庫等に保管したりする必要が無いため、防盗板２３の管理が容易となり、防盗板２３の紛失のおそれも無いという利点がある。
【００１９】
また、防盗板保持機構３０は、商品取出口２１の背面側の上部に幅方向に移動可能に設けられ、防盗板２３を後方に回転させた状態で、防盗板２３側に移動させることにより、防盗板２３を係止するフック３１と、防盗板２３の左右方向端部に設けられ、フック３１が係合可能な係合部３１ａとを有しているので、簡単な構造によって防盗板２３の下端側を商品取出口２１の背面側の上部に保持することができ、製造コストの低減を図ることが可能となる。
【００２０】
図５は本発明の第２実施形態を示すもので、商品取出口の背面側を示す斜視図である。尚、前記実施形態と同様の構成部分には同一の符号を付して示す。
【００２１】
この商品取出口構造の防盗板保持機構３０は、側板２１ｂの上部に設けられ、後方に回転した状態の防盗板２３と係合可能な回転規制部材としてのシャフト３２からなる。シャフト３２は、中心軸を左右方向に向けて、一対の側板２１ｂの一方に左右方向に移動自在に設けられている。
【００２２】
以上のように構成された自動販売機の商品取出口構造において、前記第１実施形態と同様に、防盗性能よりも商品の取り出し易さを優先する設定を行う場合、作業者は、外扉２０を開放して外扉２０の背面側から防盗板２３を後方に回転させ、上面板２１ｃの下面と防盗板２３の背面が対向する状態で、シャフト３２を防盗板２３側に移動させて防盗板２３の姿勢を保持し、外扉２０を閉鎖する。
【００２３】
これにより、防盗板２３は、前記第１実施形態と同様に、下端側を含む全体が商品取出口２１の背面側の上部に保持されることから、利用者が商品を取り出すために商品取出口２１から手を挿入した場合に、手が防盗板２３に接触しないため、商品の取り出し易さが向上する。
【００２４】
このように、本実施形態の自動販売機の商品取出口構造によれば、前記第１実施形態と同様に、防盗板２３を取り外すことなく防盗性能よりも商品の取り出し易さを優先することができ、自動販売機本体１０内または外扉２０の背面側に別途防盗板２３を保管するスペースを必要とせず、自動販売機の装置全体の小型化を図ることが可能となる。また、取り外した防盗板２３を別途商品保管用の倉庫等に保管したりする必要が無いため、防盗板２３の管理が容易となり、防盗板２３の紛失のおそれも無いという利点がある。
【００２５】
また、防盗板保持機構３０は、側板２１ｂの上部に幅方向に移動可能に設けられ、防盗板２３を後方に回転させた状態で、防盗板２３側に移動させることにより、防盗板２３を係止するシャフト３２を有しているので、簡単な構造によって防盗板２３の下端側を商品取出口２１の背面側の上部に保持することができ、製造コストの低減を図ることが可能となる。
【００２６】
図６は本発明の第３実施形態を示すもので、商品取出口の背面側を示す斜視図である。尚、前記実施形態と同様の構成部分には同一の符号を付して示す。
【００２７】
この商品取出口構造の防盗板保持機構３０は、側板２１ｂの上部に設けられ、後方に回転した状態の防盗板２３と係合可能な回転規制部材としてのシャフト３３と、側板２１ｂに設けられ、シャフト３３の端部が防盗板２３を係止する位置でシャフト３３の回転を規制するためのストッパー３３ａとからなる。シャフト３３は、中心軸の中間部分が直角に屈曲されており、一端部が中心軸を前後方向に向けて、一対の側板２１ｂの一方に前後方向に移動自在に、且つ、中心軸を回転中心に回転自在に設けられている。シャフト３３の他端側は、シャフト３３を回転させることにより、防盗板２３側に突出するようになっている。ストッパー３３ａは、側板２１ｂの背面側に突出するように設けられ、上端にシャフト３３が係合することによりシャフト３３の回転を規制するようになっている。
【００２８】
以上のように構成された自動販売機の商品取出口構造において、前記第１実施形態と同様に、防盗性能よりも商品の取り出し易さを優先する設定を行う場合、作業者は、外扉２０を開放して外扉２０の背面側から防盗板２３を後方に回転させ、上面板２１ｃの下面と防盗板２３の背面が対向する状態で、シャフト３３の他端側を防盗板２３側に移動させて防盗板２３の姿勢を保持し、外扉２０を閉鎖する。
【００２９】
これにより、防盗板２３は、前記第１実施形態と同様に、下端側を含む全体が商品取出口２１の背面側の上部に保持されることから、利用者が商品を取り出すために商品取出口２１から手を挿入した場合に、手が防盗板２３に接触しないため、商品の取り出し易さが向上する。
【００３０】
このように、本実施形態の自動販売機の商品取出口構造によれば、前記第１実施形態と同様に、防盗板２３を取り外すことなく防盗性能よりも商品の取り出し易さを優先することができ、自動販売機本体１０内または外扉２０の背面側に別途防盗板２３を保管するスペースを必要とせず、自動販売機の装置全体の小型化を図ることが可能となる。また、取り外した防盗板２３を別途商品保管用の倉庫等に保管したりする必要が無いため、防盗板２３の管理が容易となり、防盗板２３の紛失のおそれも無いという利点がある。
【００３１】
また、防盗板保持機構３０は、側板２１ｂの上部に一端側が回転自在に設けられ、防盗板２３を後方に回転させた状態で、他端側を防盗板２３側に移動させることにより、防盗板２３を係止するシャフト３３と、側板２１ｂの上部に設けられ、他端側が防盗板２３側に位置するシャフト３３の回転を規制するためのストッパー３３ａとを有しているので、簡単な構造によって防盗板２３の下端側を商品取出口２１の背面側の上部に保持することができ、製造コストの低減を図ることが可能となる。
【００３２】
図７乃至９は本発明の第４実施形態を示すもので、図７は商品取出口の側面断面図、図８は商品取出口の背面側を示す斜視図、図９は防盗板を収納した状態を示す商品取出口の側面断面図である。尚、前記実施形態と同様の構成部分には同一の符号を付して示す。
【００３３】
この商品取出口構造の防盗板保持機構３０は、所定の範囲で左右方向に移動可能に設けられた防盗板３４と、防盗板３４の左右方向一端側に外側に突出するように設けられた凸部３４ａと、側板２１ｂの上部に設けられ、後方に回転した状態の防盗板３４の凸部３４ａが係合可能な係合孔３４ｂとからなる。
【００３４】
以上のように構成された自動販売機の商品取出口構造において、前記第１実施形態と同様に、防盗性能よりも商品の取り出し易さを優先する設定を行う場合、作業者は、外扉２０を開放して外扉２０の背面側から防盗板３４を後方に回転させ、上面板２１ｃの下面と防盗板３４の背面が対向する状態で、防盗板３４を係合孔３４ｂが設けられた側板２１ｂ側に移動させ、防盗板３４の凸部３４ａを係合孔３４ｂに係合させて防盗板３４の姿勢を保持し、外扉２０を閉鎖する。
【００３５】
これにより、防盗板３４は、前記第１実施形態と同様に、下端側を含む全体が商品取出口２１の背面側の上部に保持されることから、利用者が商品を取り出すために商品取出口２１から手を挿入した場合に、手が防盗板３４に接触しないため、商品の取り出し易さが向上する。
【００３６】
このように、本実施形態の自動販売機の商品取出口構造によれば、前記第１実施形態と同様に、防盗板３４を取り外すことなく防盗性能よりも商品の取り出し易さを優先することができ、自動販売機本体１０内または外扉２０の背面側に別途防盗板３４を保管するスペースを必要とせず、自動販売機の装置全体の小型化を図ることが可能となる。また、取り外した防盗板３４を別途商品保管用の倉庫等に保管したりする必要が無いため、防盗板３４の管理が容易となり、防盗板３４の紛失のおそれも無いという利点がある。
【００３７】
また、防盗板保持機構３０は、所定の範囲で左右方向に移動可能に設けられた防盗板３４と、防盗板３４の左右方向一端側に外側に突出するように設けられた凸部３４ａと、側板２１ｂの上部に設けられ、後方に回転した状態の防盗板３４の凸部３４ａが係合可能な係合孔３４ｂとを有しているので、簡単な構造によって防盗板３４の下端側を商品取出口２１の背面側の上部に保持することができ、製造コストの低減を図ることが可能となる。
【００３８】
図１０乃至１２は本発明の第５実施形態を示すもので、図１０は商品取出口の側面断面図、図１１は商品取出口の背面側を示す斜視図、図１２は防盗板の収納方法を示す商品取出口の側面断面図である。尚、前記実施形態と同様の構成部分には同一の符号を付して示す。
【００３９】
この商品取出口構造の防盗板保持機構３０は、所定の範囲で上面板２１ｃと平行に移動可能に設けられた防盗板３５と、防盗板３５の左右方向一端側に上方に突出するように設けられた凸部３５ａと、側板２１ｂの上部を屈曲することにより設けられ、上面板２１ｃに沿って前方に移動する防盗板３５の凸部３５ａが係合可能な係合部３５ｂとからなる。
【００４０】
以上のように構成された自動販売機の商品取出口構造において、前記第１実施形態と同様に、防盗性能よりも商品の取り出し易さを優先する設定を行う場合、作業者は、外扉２０を開放して外扉２０の背面側から防盗板３５を後方に回転させ、上面板２１ｃの下面と防盗板３５の背面側が対向する状態で、防盗板３５を上面板２１ｃと平行に前方に移動させ、防盗板３５の凸部３５ａを係合部３５ｂに係合させて防盗板３５の姿勢を保持し、外扉２０を閉鎖する。
【００４１】
これにより、防盗板３５は、前記第１実施形態と同様に、下端側を含む全体が商品取出口２１の背面側の上部に保持されることから、利用者が商品を取り出すために商品取出口２１から手を挿入した場合に、手が防盗板３５に接触しないため、商品の取り出し易さが向上する。
【００４２】
このように、本実施形態の自動販売機の商品取出口構造によれば、前記第１実施形態と同様に、防盗板３５を取り外すことなく防盗性能よりも商品の取り出し易さを優先することができ、自動販売機本体１０内または外扉２０の背面側に別途防盗板３５を保管するスペースを必要とせず、自動販売機の装置全体の小型化を図ることが可能となる。また、取り外した防盗板３５を別途商品保管用の倉庫等に保管したりする必要が無いため、防盗板３５の管理が容易となり、防盗板３５の紛失のおそれも無いという利点がある。
【００４３】
また、防盗板保持機構３０は、所定の範囲で上面板２１ｃと平行に移動可能に設けられた防盗板３５と、防盗板３５の左右方向一端側に上方に突出するように設けられた凸部３５ａと、側板２１ｂの上部を屈曲することにより設けられ、上面板２１ｃに沿って前方に移動する防盗板３５の凸部３５ａが係合可能な係合部３５ｂとを有しているので、簡単な構造によって防盗板３５の下端側を商品取出口２１の背面側の上部に保持することができ、製造コストの低減を図ることが可能となる。
【００４４】
尚、防盗板保持機構３０として、前記第１乃至第５実施形態の方法を示したが、前記第１乃至第５実施形態の他に、防盗板２３，３４，３５の背面を上面板２１ｃの下面に面ファスナー等によって着脱自在に貼り付けることにより、防盗板２３，３４，３５の下端側を含む全体を商品取出口２１の背面側の上部に保持するようにしても良い。また、他の防盗板保持機構３０として、防盗板２３，３４，３５の背面を上面板２１ｃの下面に磁石等によって着脱自在に貼り付けることにより、防盗板２３，３４，３５の下端側を含む全体を商品取出口２１の背面側の上部に保持するようにしても良い。
【００４５】
また、前記第１乃至第５実施形態では、防盗板保持機構を防盗板２３，３４，３５の左右方向の一方にのみ設けたものを示したが、左右方向両方に防盗板保持機構２３，３４，３５をそれぞれ設けるようにしても良い。
【図面の簡単な説明】
【００４６】
【図１】本発明の第１実施形態を示す自動販売機の全体斜視図
【図２】商品取出口の側面断面図
【図３】商品取出口の背面側を示す斜視図
【図４】防盗板を収納した状態を示す商品取出口の側面断面図
【図５】本発明の第２実施形態を示す商品取出口の側面断面図
【図６】本発明の第３実施形態を示す商品取出口の側面断面図
【図７】本発明の第４実施形態を示す商品取出口の側面断面図
【図８】商品取出口の背面側を示す斜視図
【図９】防盗板を収納した状態を示す商品取出口の側面断面図
【図１０】本発明の第５実施形態を示す商品取出口の側面断面図
【図１１】商品取出口の背面側を示す斜視図
【図１２】防盗板の収納方法を示す商品取出口の側面断面図
【符号の説明】
【００４７】
１０…自動販売機本体、１２…商品搬出口、１３…搬出扉、２０…外扉、２１…商品取出口、２３…防盗板、３０…防盗板保持機構、３１…フック、３１ａ…係合部、３２…シャフト、３３…シャフト、３４…防盗板、３４ａ…凸部、３４ｂ…係合孔、３５…防盗板、３５ａ…凸部、３５ｂ…係合部。
【図１】
0005053792.tif 000002
【図２】
0005053792.tif 000003
【図３】
0005053792.tif 000004
【図４】
0005053792.tif 000005
【図５】
0005053792.tif 000006
【図６】
0005053792.tif 000007
【図７】
0005053792.tif 000008
【図８】
0005053792.tif 000009
【図９】
0005053792.tif 000010
【図１０】
0005053792.tif 000011
【図１１】
0005053792.tif 000012
【図１２】
0005053792.tif 000013